(57)【特許請求の範囲】
【請求項１】
第１及び第２のパネルの対向縁を一緒に連結し且つそこに付属品をぶら下げるハンガーブラケット／連結具組立体を有するパネル組立体は、第１及び第２のハンガーブラケット／連結具ストリップを有し、該第１ストリップは該第１パネルの該対向縁の一方に取り付けられるものであり、該第２ストリップは該第２パネルの該他の縁に取り付けるものであり、該第１及び第２のストリップはそれぞれ単一の部材であってその端部の間で水平に切り取られた断面において第１面に実質的に位置する平らな中央部を有すると共に該パネルの一方の縁に係合して取り付けられており、各ストリップは該中央部の両側に該平らな中央部及び該面と一体で且つこれから離れるように延出しているＵ字形突出曲げ部を有しており、該突出曲げ部の各は該平らな中央部及び該面から離れるように延出している内側脚を有しており、外側脚は該内側脚から離れて該面に向かって延びており、該外側脚は、フックを受け入れる為に長手方向に間隔を置いたスロットを有していてこれにより付属品が該ストリップに支持され、該内側脚及び外側脚はウェブによって連結されており、反転曲げ部が該外側脚に一体であり、フランジが該反転曲げ部と一体であり、該ストリップが取り付けられている該パネルから該フランジが延びていて該外側脚の各側の平行な面に実質的に位置されており、該ストリップは平坦な面を備えた上下端を有しており、該端は該中央部から離れて長手方向に延びて該第１面に位置しており、該フランジは該平坦な面に沿って延びて一体化しており、該突出曲げ部は上下端部にソケットを形成しており、上部及び下部楔係合部材が該ソケットに挿入されて係合するような形状になっており、細長いタイバーが該上部及び下部楔部材の間に調節自在に連結されていて、そして前記楔部材の少なくとも一つを他の楔部材に向かって引き寄せて該楔部材を該ソケットに押し入れるようになっており、
前記突出曲げ部の上下端部の双方にある前記ソケットが、楔部材の間隔を置いた楔形突起を受け入れるために該突出曲げ部の各の内側脚と外側脚との間の空間によって形成されているパネル組立体。
【請求項２】
前記突出曲げ部の端部にあり且つその上下端部にある前記ソケットが該ストリップの長手方向中心に向かって傾斜した面に沿って切り抜かれて形成されており、そして前記上部及び下部楔部材が前記切り抜きの傾斜角に対応する傾斜面を有している請求項１のパネル組立体。
【請求項３】
該突出曲げ部の上下端部にある前記ソケットは該突出曲げ部のそれぞれの内側脚及び外側脚の間の空間によって形成されており、そして前記上部及び下部楔部材が前記内側脚及び外側脚の間に形成された該ソケットの中に延びて入り込む間隔を置いた突出楔要素を有し、該突出楔要素は該楔部材が該細長いタイバーによって互いに向かって引き寄せられると該パネルの縁を互いに向かって引き寄せる傾斜面を有している請求項１のパネル組立体。
【請求項４】
該パネル用の前記ハンガー／ブラケット連結具ストリップが同一であり、該楔突出部が４個、該突出曲げ部によって形成されたソケットの各に１個で設けられている請求項３のパネル組立体。
【請求項５】
第１及び第２のパネルの対向縁を一緒に連結し且つそこに付属品をぶら下げるハンガーブラケット／連結具組立体を有するパネル組立体は、該第１パネルの該対向縁の一方に取り付けられるハンガーブラケット／連結具ストリップ、該第２パネルの該他の縁に取り付けるパネル連結手段及び分かれたハンガーブラケットを有し、該ハンガーブラケット／連結具ストリップは単一の部材であってその端部の間で切り取られた断面において第１面に実質的に位置する平らな中央部を有すると共に該第１のパネルの縁に係合して取り付けられており、該平らな中央部の両側のＵ字形突出曲げ部が該平らな中央部及び該面と一体で且つこれから離れるように延出しており、該突出曲げ部の各は該平らな中央部及び該面から離れるように延出している内側脚を有しており、外側脚は該内側脚から離れて該第１面に向かって延びており、該外側脚はフックを受け入れる為に長手方向に間隔を置いたスロットを有していてこれにより付属品が該ストリップに掛けられ、該内側脚及び外側脚はウェブによって連結されており、反転曲げ部が該外側脚に一体であり、第２及び第３の平行なフランジが該外側脚と一体であり、該フランジが該第１面に直角にそこから離れて延びていて該外側脚の両側に位置しており、該ストリップは平坦な面を備えた上下端を有しており、該端は該中央部から離れて長手方向に延びて該第１面に位置しており、該フランジは該平坦な面に沿って延びて一体化しており、該突出曲げ部は上下端部にソケットを形成しており、上部及び下部楔部材が該第１パネルに隣接した一側において該ソケットに挿入されて係合するような形状の表面を有しており、該パネル連結手段及び分かれたハンガーブラケットは細長いＵ字形チャネルを有し、該第２のパネルの縁に取り付けられた平坦なウェブを有し並びに該平坦なウェブから延びた第２の平行で離れたフランジを有し、ハンガーブラケットストリップは該第１のストリップより短く且つ該第２の平行で離れたフランジの間の該Ｕ字形チャネル内で該第２のパネルの縁に取り付けられてこれにより上部空間が該第２のストリップの上端と該Ｕ字形チャネルの上端との間に位置し、且つ下部空間が該第２のストリップの下端と該チャネルの下端との間に位置し、分かれた上部楔ブロックが該上部空間内で該チャネルに取り付けられると共に分かれた下部楔ブロックが該下部空間内で該チャネルに取り付けられ、該上部及び下部楔ブロックが第２の上部及び下部ソケットを有し、該上部及び下部楔部材のそれぞれは、該第２のパネルに隣接した側において該第２の上部及び下部ソケットに挿入されて係合するような形状の面を有しており、細長いタイバーが該上部及び下部楔部材の間に調節自在に連結されていて、そして前記楔部材の少なくとも一つを他の楔部材に向かって引き寄せて該楔部材を該第１及び第２の上部及び下部ソケットに押し入れるようになっているパネル組立体。
【請求項６】
前記突出曲げ部の端部にあり且つ該第１のハンガーブラケット／連結具ストリップの上下端部の双方にある前記第１の上部及び下部ソケットが、該ストリップの長手方向中心に向かって傾斜した面に沿って切り抜かれて形成されており、そして前記上部及び下部楔部材が前記切り抜きの傾斜角に対応する傾斜面を有している請求項５のパネル組立体。
【請求項７】
前記突出曲げ部にあり且つ該第１のハンガーブラケット／連結具ストリップの上下端部の双方にある前記第１の上部及び下部ソケットが、該突出曲げ部の各の内側脚と外側脚との間の空間によって形成されており、更に該上部及び下部楔部材が前記内側脚及び外側脚の間に形成された該ソケットの中に延びて入り込む間隔を置いた突出楔要素を有し、該突出楔要素は該楔部材が該細長いタイバーによって互いに向かって引き寄せられると該パネルの縁を互いに向かって引き寄せる傾斜面を有している請求項５のパネル組立体。
【請求項８】
端部の間で水平に切られた断面において、
第１面に位置してパネルの縁に取り付けられるための手段を有する平坦な中央部、
該平坦な中央部と一体で該平坦な中央部から離れるように同一の方向に延び、該平坦な中央部の両側にあるＵ字形突出曲げ部、
を有し、
該突出曲げ部の各は、該第１面に連結し且つそこから延びる内側脚、該内側脚に連結されたウェブ、及び該ウェブに連結され、該第１面に向かって延びフックを受け入れるために長手方向に間隔を置いたスロットを有して付属品が該ストリップに引っかけられるようにしている外側脚を有し、
前記外側脚と一体の反転曲げ部及び該反転曲げ部と一体で前記面から離れて延び、該外側脚の両側にあり平行な第２及び第３の面に位置するフランジ、を有する単一の細長い成形ストリップ部材を有し、そして
該ストリップは平らな面を備えた上下端を有し、該端は該中央部から長手方向に延びると共に該第１面に位置していて、該フランジは該平らな面に沿いこれと一体化しており、該突出曲げ部は上下端部にソケットを形成している
パネルの対向縁を連結し付属品を其処に吊り下げるためのハンガーブラケット／連結具ストリップ。
【請求項９】
該突出曲げ部の端部でその上下端部にある前記ソケットが、楔部材の対応する傾斜面によって係合するために該ストリップの長手方向中心に向かう傾斜面に沿う切り抜きによって形成されている請求項８の連結具ストリップ。
【請求項１０】
端部の間で水平に切られた断面において、
第１面に位置してパネルの縁に取り付けられるための手段を有する平坦な中央部、
該平坦な中央部と一体で該平坦な中央部から離れるように同一の方向に延び、該平坦な中央部の両側にあるＵ字形突出曲げ部、
を有し、
該突出曲げ部の各は、該第１面に連結し且つそこから延びる内側脚、該内側脚に連結されたウェブ、及び該ウェブに連結され、該第１面に向かって延びフックを受け入れるために長手方向に間隔を置いたスロットを有して付属品が該ストリップに引っかけられるようにしている外側脚を有し、
反転曲げ部が前記外側脚と一体であり、及びフランジが該反転曲げ部と一体であって前記面から離れて延び、該外側脚の両側にある平行な面に位置している
単一の細長い成形ストリップ部材
を有するパネルの対向縁を連結し付属品を其処に吊り下げるためのハンガーブラケット／連結具ストリップ。
【発明の詳細な説明】
この発明は多数パネル組立体に関し、特に２枚の隣接パネルの対向縁を一緒に連結してロックするためのパネル連結具組立体に関する。特に、この発明は、１９６９年３月４日に発行され、パネルジョイントという表題の米国特許第３，４３０，９９７号のパネル連結具組立体の改良に関する。
発明の背景
２８年以上も前に米国特許第３，４３０，９９７号のパネルジョイントが発明されて開発され、そのとき以来かかる特許の譲受人の主要な製品として製作され、販売されてきた。複数の垂直方向に向いたパネルがその隣接縁で相互にロックされて造園備品配置として知られるようになったものの中で使用される空間仕切りシステムにおいて、譲受人が多くの発明をして販売してきた事実にも拘わらずそのパネル連結具組立体の製造において、譲受人によって、もしあるにしても極少ししか変更が為されなかった。
この２５年以上の期間に亙って、空間仕切りシステム、特にパネルの対向縁を一緒に連結してロックするパネル連結具組立体、のコストを削減するニーズが明らかに存在していた。このニーズにも拘わらず、米国特許第３，４３０，９９７号に記載された連結具組立体は、殆ど変更されずに製造されてきて、その特許の譲受人によって大量に販売されてきた。
詳しく言えば、米国特許第３，４３０，９９７号に開示されているように、パネルの各縁用の連結具組立体は、パネルの縁に最初に連結されるＵ字形チャンネル及び多くの型の付属品を支持するためにパネルのジョイントから延出するクリップを受け入れるための複数の整列されたスロットを備えたハンガーブラケットを含む４個の部品から構成されている。ハンガーブラケットは、パネルのほぼ全高に亙って延びており、そしてパネルの対向する縁においてＵ字形チャンネルの中に取り付けられた上部及び下部楔部材を有している。このような訳で、各パネルの各縁に対し、４個の異なった、分離部品が必要となる。このような部品は製作ばかりでなく、パネルの縁に組み立てるのにもコストが高い。
発明の概要
この発明は、米国特許第３，４３０，９９７号のパネル連結具組立体の改良に関する。この発明によれば、パネルの縁に取り付けられる４個の部品は、ハンガーブラケット、楔手段及びハンガーブラケットの部分を隠すためのフランジ手段を提供する三重の作用を行う１個の部品によって取って代わられる。この発明によれば、これらの機能は全て、１個のハンガーブラケット／連結具ストリップによって達成され、３個の付加的な部品のコストを削減し、パネルの縁への連結具の取り付けを簡単化する。
この発明によれば、ハンガーブラケットの形状は、Ｕ字形チャンネルの必要性を無くすフランジを提供するように修正される。ハンガーブラケットの構造は又、米国特許第３，４３０，９９７号の分離した楔部材を無くす楔形ポケットを上下端部に持つように修正される。本発明によれば、二つの実施例がある。実施例の一つは、米国特許第３，４３０，９９７号に記載され、現在使用されている上部及び下部楔係合部材を収容する。第２の実施例は、上部及び下部楔係合部材の再設計を含んでおり、これらの全ては以下の明細書及び添付の図面を参照して容易に理解されるであろう。
【図面の簡単な説明】
図１は、パネル連結具組立体の種々の部品の分解組立図であり、
図２は、この発明の新規なハンガーブラケット／連結具ストリップの側立面図であり、
図３は、図２のハンガーブラケット／連結具ストリップの平面図であり、
図４は、図２及び図３のハンガーブラケット／連結具ストリップの端部の斜視図であり、
図５は、図１乃至図４のハンガーブラケット／連結具ストリップ及び図１に開示されたタイロッドによって連結された上部及び下部楔係合部材によってその縁に沿って連結された２枚のパネルの側立面図であり、
図５Ａは、図５の面VA−VAに沿った断面図であり、
図５Ｂは、図５の面VB−VBに沿った断面図であり、
図６は、図３の面VI−VIに沿った断面図であり、
図７は、図１及び図５に開示された楔係合部材の斜視図であり、
図８は、ハンガーブラケット／連結具ストリップの第２実施例の側立面図であり、
図９は、図８のハンガーブラケット／連結具ストリップの平面図であり、
図１０は、図８及び図９のハンガーブラケット／連結具ストリップの端部の斜視図であり、
図１１は、図８、図９及び図１０のハンガーブラケット／連結具ストリップと一緒に使用される楔係合部材の斜視図であり、
図１２は、図８、図９及び図１０のハンガーブラケット／連結具ストリップ及び図１１に開示されたものと似ている下部楔係合部材を使用して連結された２枚のパネルの側立面図であり、
図１２Ａは、図１２の面XIIA−XIIAに沿う断面図であり、
図１３は、１枚のパネルが図８、図９及び図１０のハンガーブラケット／連結具ストリップを使用し、他のパネルが米国特許第３，４３０，９９７に開示されたハンガーブラケット・連結具組立体を使用している２枚のパネルの縁を連結するために設計された楔係合部材の斜視図であり、
図１４は、図８、図９及び図１０のハンガーブラケット／連結具ストリップと米国特許第３，４３０，９９７のハンガーブラケット・連結具組立体とによって連結された２枚のパネルの側立面図であり、
図１４Ａは、図１４の面XIVA−XIVAに沿う断面図であり、
図１５は、図２、図３及び図４のハンガーブラケット／連結具ストリップと米国特許第３，４３０，９９７のハンガーブラケット・連結具組立体によって連結された２枚のパネルの側立面図であり、そして
図１５Ａは、図１５の面XVA−XVAに沿う断面図である。
好適な実施例の詳細な説明
図面を参照するに、図１はハンガーブラケット／連結具組立体１０によって固定されるように適合された上向き縁３、４を有する一対の離れた仕切りパネル１、２の分解組立図を示しており、ハンガーブラケット／連結具組立体１０は、細長いタイロッド又はバー２３によって連結された上部楔形引寄ブロック２１及び下部楔形引寄ブロック２２を有するパネル連結組立体２０を有している。下部楔形引寄ブロック２２は、ねじやボルト２４のような通常の手段によってタイロッド２３に固定されている。下部楔形引寄ブロック２２は、後述するようなハンガーブラケット／連結具ストリップ３０の下端に位置するソケットに受け入れられるように備えられた上向きの略Ｖ形楔面２５を有する。上部楔形引寄ブロック２１は、細長いねじ部材２６によってタイロッド２３の最上端に調節自在に取り付けられている。タイロッド２３は、好適には上端にねじ切りされた１本の金属管から形成され、細長いねじ部材２６はその中に直接ねじ込まれている。ねじ２６は、上部引寄ブロック２１の開口２７を貫通している。圧縮ばね２８が上部楔形ブロック２１が滑り落ちるのを防止するためにボルト２６に設けられ、以下に明らかになるようにパネルジョイントの分解及び組立を補助する。上部引寄ブロック２１は、後述するようなハンガーブラケット／連結具ストリップ３０に設けられたソケットに受け入れられるように適合された略Ｖ形の楔面２９を有する。
各ハンガーブラケット／連結具ストリップ３０は鋼の単一体から形成され、そして、図２、図３、図４及び図６に開示された構造を有している。図６は、ハンガーブラケット／連結具ストリップ３０の断面を示している。それは、Ｘ面上に位置する平らな中央部３１を開示しているが、パネルの縁上に組み立てられると、パネルの表面は平らな中央部３１と同じＸ面上に位置する。Ｕ字形突出曲げ部３２、３３は中央部３１の各端に位置し、Ｘ面から離れて延出している。Ｕ字形突出曲げ部３２、３３は、内側脚部３４、３５、外側脚部３６、３７及びウェブ即ち固定部３８、３９をそれぞれ有し、そして反転曲げ部４０、４１からフランジ４２、４３がそれぞれ延出している。
外側脚部３６、３７は、パネルに付属品を支持するための付属品フックを受け入れるためにストリップ３０の長手方向に間隔を置いた細長いスロット４４、４５を有する。
フランジ４２、４３が細長いスロット４４、４５にそれぞれ少し重なり合う長さを有することが図１及び図２から留意されよう。このようにして、スロットは、補助フックの容易な挿入を許すに丁度十分に曝露されており、一方同時にパネルの前方から見たときにスロットを十分に被って全パネル装置の美的特性を加える。
ストリップ３０は主として、単一の鋼板を圧延成形し、そして曲げることによって形成される。しかしながら、その両端において、Ｕ字形突出部は切断されて、図２、図３及び図４に開示された形状を持つようにされる。詳しく言うと、尖端の突出部は切断線４６ａ、４６ｂに沿って切断され、それから平らにされて平坦面４７ａ、４７ｂを形成する。更に、Ｕ字形突出部は傾斜面Ｙ（図２及び図４）に沿って切断される。その切断は、フランジ４２、４３を乱すことなく行われる。切断は、楔形引寄ブロック２１、２２の楔形面２５、２９をそれぞれ受け入れるソケット４８を形成するが、ストリップ３０の上端及び下端は同一の形状であると理解される。更に、傾斜面の角度は、引寄ブロック２１、２２の楔形面２５に対応するように選定される。ストリップ３０は、開口５０を貫通して延びるねじ４９によってパネルの縁に取り付けられる。
図５及び図５Ａを参照するに、これらはハンガー連結具組立体によって連結された２枚のパネル１，２を示しているが、そのハンガー連結具組立体はパネル１、２のそれぞれに１個のブラケット／連結具ストリップ３０を有している。図５に開示されるように、上端から下端へ間隔を置いて配置された開口５０（図３及び図４）を貫通して延びるねじ４９によってストリップは各パネルの縁に固定されている。連結具組立体は２個のストリップ３０の間に位置し、上部楔形引寄ブロック２１の楔面２５が２個のストリップ３０のポケット４８の中に挿入されている。パネルの下端において、下部楔形引寄ブロック２２の楔形面２９がソケット４８の中に挿入されている。図示されるように、上部楔形引寄ブロック２１及び下部楔形引寄ブロック２２は、その２個の楔形引寄ブロックを互いに引き寄せる方向にねじ部材をねじ込むことによりタイロッドによって互いに引き寄せられている。これらの２個の楔形引寄ブロックが互いに引き寄せられると、Ｕ字形突出部の傾斜面に係合している楔形面２９、２５が２枚のパネルの縁を互い引き寄せ、図５Ａに図示された位置にそれらを確りと保持する。
図８乃至図１２は、本発明の他の実施例を示している。この実施例において、ストリップ３０ａの断面は先端部を除いて同じである。従って、添字ａの付いた多くの同一の参照番号がこの実施例の説明に使用される。詳しく言うと、Ｕ字形突出部３２ａ、３３ａは、傾斜角度と言うよりは角形に切断されている。このようにして、ハンガーブラケット／連結具ストリップ３０ａは、平らな中央部３１ａ、スロット４４ａ、４５ａを備えたＵ字形突出部３２ａ、３３ａ、反転曲げ部４０ａ，４１ａ、及びフランジ４２ａ、４３ａを有する。Ｕ字形突出部３２ａ、３３ａの形状はハンガーブラケット／連結具ストリップ３０のＵ字形突出部３２、３３の形状と同一である。従って、それらは、内側脚３４ａ、３５ａ、外側脚３６ａ、３７ａ、及びウェブ３８ａ、３９ａを有する。
ストリップ３０ａの使用において、各ストリップは２個のソケット５１、５２を有している。ソケット５１は内側脚３４ａと外側脚３６ａの間に形成される。ソケット５２は、内側脚３５ａと外側脚３７ａの間に形成される。ハンガーブラケット／連結具３０ａの使用において、異なった形状の上部楔形引寄ブロック２１ａ及び下部楔形引寄ブロック２２ａが使用される。図１１は上部楔形引寄ブロック２１ａの構造及び形状を示している。この引寄ブロック２１ａは、４個の楔形要素５３を有し、各側に２個、Ｕ字形突出部３２ａ、３３ａの脚の間に形成されるソケット５１，５２の中に受け入れられるように間隔を置いている。下部引寄ブロック（図１２）は、図１に示されるタイロッド２３と下部楔形引寄ブロック２２との連結と同一であるタイロッドバー２３とブロックとの連結を除いて形状が略同一である。
図１２及び図１２Ａを参照するに、ハンガーブラケット／連結具ストリップ３０ａが、ねじ４９によってパネル１ａ、２ａの縁に取り付けられて示されている。２個のストリップ３０ａの間に、上部楔形引寄ブロック２１ａと下部楔形引寄ブロック２２ａとを有する連結具組立体２０ａが位置しており、各引寄ブロックは楔面を有する楔形要素５３を有している。楔形要素５３は、内側脚３４ａと外側脚３６ａとの間及び内側脚３５ａと外側脚３７ａとの間に形成されたソケット５１，５２（図１０）の中に入る。二つの楔形引寄ブロック２１ａ、２２ａは、図１及び図５に関して上述された要領でタイロッド又はバー２３ａにより互いに引き寄せられる。
ハンガーブラケット／連結具ストリップ３０，３０ａの２つの実施例を説明したが、米国特許第３，４３０，９９７号に開示された連結組立体を有する現存のパネルに、ストリップ３０又は３０ａを有するパネルを結合するのが必要であり或いは望ましいことがある。図１３乃至図１５は、このような組み合わせを収容する配置を示している。
図１３及び図１４は、パネル１ｂ、２ｂがハンガーブラケット／連結具ストリップ３０ａと米国特許第３，４３０，９９７号の連結組立体６０とを使用して連されている構造を示している。
図１３は、特別に設計された上部楔形引寄ブロック２１ｂを開示しているが、ここにおいて楔面２９ａが図１及び図７の楔面２９と同じになっている。楔形引寄ブロック２１ｂの反対側において、図１１の楔形要素５３と同じ形状の離れた楔形要素５３ａが設けられている。楔面２９ａは米国特許第３，４３０，９９７号のパネル連結組立体に連結するのに使用され、一方、楔形要素５３ａは、ソケット５１，５２内に嵌合するのに使用される。
ハンガーブラケット／連結具ストリップ３０ａと米国特許第３，４３０，９９７号の連結具及びハンガーブラケットとの組合せが図１４及び図１４Ａに図示されている。米国特許第３，４３０，９９７号の組立体６０は、Ｕ字形チャネル６１、ハンガーブラケット６２，上部楔形ブロック６３、及び下部楔形ブロック６４を有している。Ｕ字形チャネル６１はパネル１ｂの縁とハンガーブラケット６２に取り付けられているが、ハンガーブラケット６２はスロット６５を有し、中央の平らな部分６６を貫通して延びるねじ４９ａによってチャネル６１内でパネル１ｂの縁に取り付けられている。上部楔形ブロック６３はブラケット６２の上方のチャネル６１内でねじ６７によりパネル１ｂの縁に固定されている。下部楔形ブロック６４も又、ブラケット６２の下方のチャネル６１内でパネル１ｂの縁に固定されている。このように、米国特許第３，４３０，９９７号の連結具及びハンガーブラケット組立体６０は、チャネル６１、ハンガーブラケット６２及び楔形ブロック６３，６４を含む４つの部品から構成されており、これらの全ては米国特許第３，４３０，９９７号に開示されており、その開示内容は援用により本書の中に組み入れられている。
この発明によれば、図８、図９、図１０及び図１２に関連して前述されたハンガーブラケット／連結具ストリップ３０ａは、図１２に関連して説明したと同様な態様でパネル２ｂの縁に取り付けられている。この組み合わせにおいて、上部楔形引寄ブロック２１ｂは、ストリップ３０ａと楔形ブロック６３の上方に位置し、同様な形状の楔形引寄ブロック２２ｂがストリップ３０ａと楔形ブロック６４の下方に位置している。この２個の楔形引寄ブロック２１ａ、２２ｂは、タイロッド又はバー２３によって互いに引き寄せられ、これは引寄ブロック２１ｂ、２２ｂの楔面２９ａを楔形ブロック６３，６４の傾斜楔面６９に押し付ける。
上部楔形引寄ブロック２１ｂ及び下部楔形引寄ブロック２２ｂが互いに引き寄せられると、楔形要素５３ａが、ハンガーブラケット／連結具ストリップ３０ａの上端及び下端におけるソケット５１，５２の中に引き込まれるが、これらは全て図１２に関連して説明されている。
図１５は、前述された米国特許第３，４３０，９９７号の連結具組立体６０とハンガーブラケット／連結具ストリップ３０の組み合わせを示している。この組み合わせにおいて、上部楔形引寄ブロック２１及び下部楔形引寄ブロック２２が使用される。図１４に描かれたものと同様に、連結具組立体６０はパネル１ｃの縁に取り付けられたチャネル形の部材６１を有している。又チャネル６７内でパネル１ｃには、全て図１４に関連して説明されたハンガーブラケット６２、上部楔形ブロック６３及び下部楔形ブロック６４が固定されている。ストリップ３０が図５に関連して前述したようにパネル２ｃに連結されている。この組み合わせにおいて、上部楔形引寄ブロック２１は、楔面６９の上方の楔面に支持され、ソケット４８の傾斜面より上方のソケット４８内に位置している。又、楔形引寄ブロック２２は、楔面６９ａの下方に支持され、ソケット４８ｃの傾斜面の下方のソケット４８ｃ内に位置している。このようにして、タイロッド２３が二つの上部及び下部楔形引寄ブロック２１，２２を互いに引き寄せるように調整されると、パネル１ｃ、２ｃの縁を引き寄せようと楔面が接触する。
以上の説明から、米国特許第３，４３０，９９７号のハンガーブラケット／連結具組立体の開発後２７年間に亙って案出された本発明が、これらの全年限にわたって、分離して製作され且つ隣接するパネルの縁に分かれて組み立てられねばならなかった４個の独立した構成部品を必要としたものを一つの部品で供給することによって顕著な結果を齎したことが明白になろう。このように、この発明によれば、予測不能で非常な効果がこの発明によって達成された。
この発明の好適な実施例が例示されているけれども、本発明の精神から逸脱することなく、多くの他の実施形態が案出され製作されることは当業者にとって容易に明らかであろう。そのような実施は、次に続く請求の範囲の範囲に含まれるとみなされる。
【図１】
0003860219.tif 000002
【図２】
0003860219.tif 000003
【図３】
0003860219.tif 000004
【図４】
0003860219.tif 000005
【図５】
0003860219.tif 000006
【図６】
0003860219.tif 000007
【図７】
0003860219.tif 000008
【図５Ａ】
0003860219.tif 000009
【図５Ｂ】
0003860219.tif 000010
【図８】
0003860219.tif 000011
【図９】
0003860219.tif 000012
【図１０】
0003860219.tif 000013
【図１１】
0003860219.tif 000014
【図１３】
0003860219.tif 000015
【図１２】
0003860219.tif 000016
【図１４】
0003860219.tif 000017
【図１２Ａ】
0003860219.tif 000018
【図１４Ａ】
0003860219.tif 000019
【図１５】
0003860219.tif 000020
【図１５Ａ】
0003860219.tif 000021